(57)【特許請求の範囲】
【請求項１】
加熱用長尺体を配設させるための溝部が形成された板状基材と、前記加熱用長尺体の熱を均一に伝熱させるための均熱体とが設けられ、
前記均熱体が、前記板状基材の溝部に前記加熱用長尺体を配設させた状態で、前記板状基材の上面側に設けられ、
前記均熱体の上面部と床仕上げ材の下面部との間に床仕上げ用接着剤を介在させて、前記均熱体上に前記床仕上げ材を固定させるように構成されている床暖房パネルであって、
前記床仕上げ材と前記均熱体との接着状態を剥離し易くし且つ加熱されても常温状態になったときに前記床仕上げ材と前記均熱体との接着状態を剥離し易くするためのコーティング材にて、前記均熱体の上面部をコーティングした状態で、前記均熱体の上面部と前記床仕上げ材の下面部との間に前記床仕上げ用接着剤を介在させるように構成され、
前記板状基材の上面部と前記均熱体の下面部との間に均熱体用接着剤を介在させて、前記板状基材上に前記均熱体を固定させるように構成され、
前記床仕上げ材と前記均熱体との接着状態を剥離する際に、前記均熱体の下面部と前記板状基材の上面部との接着状態が維持されるように、前記均熱体用接着剤による接着力を調整するように構成され、
前記コーティング材が、ポリエチレンイミンオクタデシルカルバメイトまたはオクタデシルイソシアネートとポリビニルアルコールの反応物にて構成され、
前記床仕上げ用接着剤が、ウレタン系にて構成されている床暖房パネル。
【請求項２】
前記床仕上げ材を前記均熱体上に固定させるための両面テープが設けられ、
前記床仕上げ用接着剤が、前記両面テープにおける接着剤にて構成され、
前記両面テープを前記床仕上げ材の下面部と前記均熱体の上面部との間に介在させて、前記床仕上げ材を前記均熱体上に固定させるように構成されている請求項１記載の床暖房パネル。
【請求項３】
請求項１又は２に記載の床暖房パネルの周辺に配設される周辺パネルであって、
前記床仕上げ材と周辺パネル本体との接着状態を剥離し易くするためのコーティング材にて、前記周辺パネル本体の上面部をコーティングした状態で、前記周辺パネル本体の上面部と前記床仕上げ材の下面部との間に前記床仕上げ用接着剤を介在させて、前記周辺パネル本体上に前記床仕上げ材を固定させるように構成されている周辺パネル。
【発明の詳細な説明】
【０００１】
【発明の属する技術分野】
本発明は、加熱用長尺体を配設させるための溝部が形成された板状基材と、前記加熱用長尺体の熱を均一に伝熱させるための均熱体とが設けられ、前記均熱体が、前記板状基材の溝部に前記加熱用長尺体を配設させた状態で、前記板状基材の上面側に設けられ、前記均熱体の上面部と前記床仕上げ材の下面部との間に床仕上げ用接着剤を介在させて、前記均熱体上に床仕上げ材を固定させるように構成されている床暖房パネルに関する。
【０００２】
【従来の技術】
上記のような床暖房パネルは、熱媒体流通管や電気ヒータ線などの加熱用長尺体を板状基材に形成された溝部に配設した状態で、板状基材の上面側にアルミ箔などの均熱体が設けられ、床仕上げ用接着剤を用いて、均熱体上にフローリングなどの床仕上げ材を固定させているものである。
そして、従来、均熱体上に床仕上げ材を固定させる際には、単純に、均熱体の上面部と床仕上げ材の下面部との間に床仕上げ用接着剤を介在させることにより、床仕上げ材を均熱体上に固定させるようにしている。
【０００３】
【発明が解決しようとする課題】
上記のような床暖房パネルにおいては、床仕上げ材に傷がつくなどして、床仕上げ材を張り替える必要が生じることがあるが、この場合には、傷ついた床仕上げ材を均熱体から剥して、床仕上げ用接着剤を用いて新しい床仕上げ材を均熱体上に固定するようにしている。
また、床仕上げ材が傷つくなどにより、床仕上げ材を張り替える必要が生じるだけでなく、例えば、上記のような床暖房パネルを賃貸住宅に使用した場合にも、床仕上げ材を張り替える必要が生じることになる。
すなわち、賃貸住宅では、入居者が変わるごとにリフォームする必要があることから、賃貸住宅に上記のような床暖房パネルを使用する場合には、入居者が変わるごとに、床仕上げ材を張り替える必要が生じる。
以上の如く、上記のような床暖房パネルにおいては、床仕上げ材を張り替えることに対する要望が強いものとなっている。
【０００４】
そして、床仕上げ材を張り替える際には、床仕上げ材を均熱体から剥すことになるが、上記従来の床暖房パネルでは、単純に、床仕上げ材の下面部と均熱体の上面部との間に床仕上げ用接着剤を介在させて均熱体上に床仕上げ材を固定させているので、床仕上げ材を均熱体から剥すために、床仕上げ用接着剤による接着力よりも強い力が必要となる。
したがって、床仕上げ材を強い力で均熱体から剥そうとすると、例えば、床仕上げ材が均熱体から剥がれる前に、均熱体が板状基材から剥がれてしまう虞があり、床仕上げ材の張り替え作業が複雑になり、床仕上げ材の張り替え作業が煩雑になる虞がある。
また、均熱体が板状基材から剥がれてしまうことになると、板状基材の溝部に配設された加熱用長尺体が均熱体とともに板状基材から剥がれてしまうことになって、加熱用長尺体が損傷して、加熱用長尺体を交換する必要が生じてコストアップを招く虞がある。
【０００５】
本発明は、かかる点に着目してなされたものであり、その目的は、床仕上げ材の張り替え作業の容易化を図り、床仕上げ材の張り替え作業を行い易くするとともに、コストアップを招いてしまう事態を回避することが可能となる床暖房パネルを提供する点にある。
【０００６】
【課題を解決するための手段】
この目的を達成するために、請求項１に記載の発明によれば、加熱用長尺体を配設させるための溝部が形成された板状基材と、前記加熱用長尺体の熱を均一に伝熱させるための均熱体とが設けられ、前記均熱体が、前記板状基材の溝部に前記加熱用長尺体を配設させた状態で、前記板状基材の上面側に設けられ、前記均熱体の上面部と床仕上げ材の下面部との間に床仕上げ用接着剤を介在させて、前記均熱体上に前記床仕上げ材を固定させるように構成されている床暖房パネルにおいて、
前記床仕上げ材と前記均熱体との接着状態を剥離し易くし且つ加熱されても常温状態になったときに前記床仕上げ材と前記均熱体との接着状態を剥離し易くするためのコーティング材にて、前記均熱体の上面部をコーティングした状態で、前記均熱体の上面部と前記床仕上げ材の下面部との間に前記床仕上げ用接着剤を介在させるように構成され、
前記板状基材の上面部と前記均熱体の下面部との間に均熱体用接着剤を介在させて、前記板状基材上に前記均熱体を固定させるように構成され、
前記床仕上げ材と前記均熱体との接着状態を剥離する際に、前記均熱体の下面部と前記板状基材の上面部との接着状態が維持されるように、前記均熱体用接着剤による接着力を調整するように構成され、
前記コーティング材が、ポリエチレンイミンオクタデシルカルバメイトまたはオクタデシルイソシアネートとポリビニルアルコールの反応物にて構成され、
前記床仕上げ用接着剤が、ウレタン系にて構成されている。
【０００７】
すなわち、均熱体上に床仕上げ材を固定する際には、均熱体の上面部をコーティング材にてコーティングした状態で、均熱体の上面部と床仕上げ材の下面部との間に床仕上げ用接着剤を介在させて、均熱体上に床仕上げ材を固定させるので、コーティング材による作用により、床仕上げ材を均熱体から剥がれ易くしながら、床仕上げ材を均熱体上に固定させることが可能となる。
したがって、床仕上げ用接着剤による接着力よりも強い力でなくとも、床仕上げ材を均熱体から剥すことが可能となるので、床仕上げ材を均熱体から容易に剥すことが可能となり、床仕上げ材を均熱体から剥すときに、床仕上げ材が均熱体から剥がれる前に、均熱体が板状基材から剥がれてしまうなどの事態を回避することが可能となる。
【０００８】
以上のことをまとめると、請求項１に記載の発明によれば、床仕上げ材の張り替え作業の容易化を図り、床仕上げ材の張り替え作業を行い易くするとともに、コストアップを招いてしまう事態を回避することが可能となる床暖房パネルを提供できるに到った。
又、床仕上げ材と均熱体との接着状態を剥離する際に、均熱体の下面部と板状基材の上面部との接着状態が維持されるように、板状基材の上面部と均熱体の下面部との間に介在させる均熱体用接着剤による接着力を調整するように構成されているので、床仕上げ材を均熱体から剥すときに、均熱体の下面部と板状基材の上面部との接着状態を維持したまま、床仕上げ材を均熱体から剥離することが可能となって、床仕上げ材を均熱体から剥すときに、床仕上げ材が均熱体から剥がれる前に、均熱体が板状基材から剥がれてしまうなどの事態を的確に回避することが可能となる。
ちなみに、均熱体用接着材の材料を変更したり、均熱用接着剤の厚みを厚くするなどにより、均熱体用接着剤による接着力を強化することによって、床仕上げ材と均熱体との接着状態を剥離する際に、均熱体の下面部と板状基材の上面部との接着状態が維持させることが可能となる。
【００１０】
また、請求項１に記載の発明は、コーティング材が、ポリエチレンイミンオクタデシルカルバメイトまたはオクタデシルイソシアネートとポリビニルアルコールの反応物にて構成され、床仕上げ用接着剤が、ウレタン系にて構成されている。
ちなみに、コーティング材を、ポリエチレンイミンオクタデシルカルバメイトまたはオクタデシルイソシアネートとポリビニルアルコールの反応物にて構成し、床仕上げ用接着剤が、ウレタン系にて構成したときに、床仕上げ材を均熱体から剥すときに、床仕上げ材が剥がれ易くなるとともに、床仕上げ材が均熱体から剥がれる前に、均熱体が板状基材から剥がれてしまうなどの事態を回避できることが実験により確認されている。
【００１４】
請求項２に記載の発明によれば、前記床仕上げ材を前記均熱体上に固定させるための両面テープが設けられ、前記床仕上げ用接着剤が、前記両面テープにおける接着剤にて構成され、前記両面テープを前記床仕上げ材の下面部と前記均熱体の上面部との間に介在させて、前記床仕上げ材を前記均熱体上に固定させるように構成されている。
【００１５】
すなわち、床仕上げ用接着剤が両面テープにおける接着剤にて構成され、その両面テープを床仕上げ材の下面部と均熱体の上面部との間に介在させて、床仕上げ材を均熱体上に固定させるように構成されているので、単に、両面テープを均熱体の上面部と床仕上げ材の下面部との間に介在させるだけで、均熱体上に床仕上げ材を固定させることが可能となり、均熱体上に床仕上げ材を固定させる際の作業の容易化および床仕上げ材を張り替える際の作業の容易化を図ることが可能となる。
【００１６】
請求項３に記載の発明によれば、請求項１又は２に記載の床暖房パネルの周辺に配設される周辺パネルにおいて、前記床仕上げ材と周辺パネル本体との接着状態を剥離し易くするためのコーティング材にて、前記周辺パネル本体の上面部をコーティングした状態で、前記周辺パネル本体の上面部と前記床仕上げ材の下面部との間に前記床仕上げ用接着剤を介在させて、前記周辺パネル本体上に前記床仕上げ材を固定させるように構成されている。
【００１７】
すなわち、通常、床暖房パネルの周辺には、周辺パネルを配設することになるので、この周辺パネル本体上にも床仕上げ材を固定することになって、この周辺パネル本体上における床仕上げ材についても、張り替える必要が生じる。
請求項３に記載の発明によれば、周辺パネル本体上に床仕上げ材を固定する際には、周辺パネル本体の上面部をコーティング材にてコーティングした状態で、周辺パネル本体の上面部と床仕上げ材の下面部との間に床仕上げ用接着剤を介在させて、周辺パネル本体上に床仕上げ材を固定させるので、コーティング材による作用により、床仕上げ材を周辺パネル本体から剥がれ易くしながら、床仕上げ材を周辺パネル本体上に固定させることが可能となる。
したがって、床仕上げ材を周辺パネル本体から剥がれ易くすることが可能となって、床仕上げ材の張り替え作業の容易化を図ることが可能となる。
【００１８】
そして、前記コーティング材を、ポリエチレンイミンオクタデシルカルバメイトまたはオクタデシルイソシアネートとポリビニルアルコールの反応物にて構成し、前記床仕上げ用接着剤を、ウレタン系にて構成することが可能となって、床仕上げ材を周辺パネル本体から剥がれ易くすることができる。
【００１９】
また、床下地材の上面部と前記周辺パネル本体の下面部との間に、周辺パネル用接着材を介在させて、前記床下地材上に前記周辺パネル本体を固定させるように構成し、前記床仕上げ材と前記周辺パネル本体との接着状態を剥離する際に、前記周辺パネル本体の下面部と前記床下地材の上面部との接着状態が維持されるように、前記周辺パネル用接着材による接着力を調整するように構成することが可能となって、床仕上げ材を周辺パネル本体から剥すときに、周辺パネル本体の下面部と床下地材の上面部との接着状態を維持したまま、床仕上げ材を周辺パネル本体から剥離することが可能となる。
ちなみに、周辺パネル用接着材の材料を変更したり、周辺パネル用接着剤の厚みを厚くするなどにより、周辺パネル用接着剤による接着力を強化することによって、床仕上げ材と周辺パネル本体との接着状態を剥離する際に、周辺パネル本体の下面部と床下地材の上面部との接着状態が維持させることが可能となる。
【００２０】
さらに、前記床仕上げ材を前記周辺パネル本体上に固定させるための両面テープを設け、前記床仕上げ用接着剤を、前記両面テープにおける接着剤にて構成し、前記両面テープを前記床仕上げ材の下面部と前記周辺パネル本体の上面部との間に介在させて、前記床仕上げ材を前記周辺パネル本体上に固定させるように構成することが可能となって、単に、両面テープを周辺パネル本体の上面部と床仕上げ材の下面部との間に介在させるだけで、周辺パネル本体上に床仕上げ材を固定させることが可能となり、周辺パネル本体上に床仕上げ材を固定させる際の作業の容易化および床仕上げ材を張り替える際の作業の容易化を図ることが可能となる。
【００２１】
【発明の実施の形態】
本発明にかかる床暖房パネルを温水式の床暖房パネルに適応した例を図面に基づいて説明する。
〔第１実施形態〕
この床暖房パネルＰは、図１および図２に示すように、加熱用長尺体としての熱媒体流通管１と、その熱媒体流通管１を配設させるための溝部２ａが形成された板状基材２と、熱媒体流通管１の熱を均一に伝熱させるための均熱体３などから構成され、均熱体３が、板状基材２の溝部２ａに熱媒体流通管１を配設させた状態で、板状基材２の上面側に設けられ、その均熱体３の上面側に床仕上げ材６が設けられている。
前記板状基材２の溝部２ａは、熱媒体流通管１を蛇行状に配設するように形成され、その蛇行状に配設される熱媒体流通管１に熱媒体供給部５を介して図外の熱源機から温水を通流させることにより、暖房対象の床が暖房されるように構成されている。
【００２２】
前記熱媒体流通管１は、一般的に架橋ポリエチレン管やポリブテン樹脂管などが使用され、接続部のない２本の熱媒体流通管１から構成されている。つまり、配管の信頼性を高めるために、接続部のない管により熱媒体流通管１を構成し、２本の熱媒体流通管１を板状基材２に２本ずつ配管するように構成されている。
なお、２本の熱媒体流通管１の両端は、熱媒体供給部５に接続され、図外の熱源機から温水などの熱媒体が熱媒体供給部５の往き側を介して熱媒体流通管１のそれぞれに供給され、その熱媒体流通管１に供給された温水が、熱媒体流通管１を通流して熱媒体供給部５の戻り側に供給されて排出するように構成されている。
【００２３】
前記板状基材２の材質は、発泡樹脂製のもの、合板、パーチクルボードなどの木質製のものや、樹脂製のものなどが適応可能であり、発泡樹脂製のものでは、例えば、硬質のポリスチレン発泡体やポリエチレン発泡体など各種の発泡体が適応可能であり、発泡体の上面に合成樹脂製の樹脂シート成型体を積層する構成としてもよい。
前記均熱体３としては、アルミ箔や熱伝導率がよい可撓性の薄い金属などで構成するようにしている。
また、床仕上げ材６は、木質製のフローリング６ａと、そのフローリング６ａの下面側にクッション材（約１．５〜５ｍｍ）を貼り付けたバッカー材６ｂとから構成されている。なお、バッカー材６ｂの下面側には、さらに、薄いシートを貼り付けてもよい。
【００２４】
以下、板状基材２と均熱体３との接着、および、均熱体３と床仕上げ材６との接着について、図３に基づいて説明する。
ちなみに、床下地材１１の上面部と板状基材２の下面部との間に接着剤１２を介在させて、床下地材１１上に板状基材２を固定させるように構成されている。
【００２５】
まず、板状基材２と均熱体３との接着については、板状基材２の溝部２ａに熱媒体流通管１を配設させた状態で、板状基材２の上面部と均熱体３の下面部との間に均熱体用接着剤４を介在させて、板状基材２上に均熱体３を固定させるように構成されている。
また、床仕上げ材６と均熱体３との接着状態を剥離する際に、均熱体３の下面部と板状基材２の上面部との接着状態が維持されるように、均熱体用接着材４による接着力を調整するように構成されている。
具体的には、均熱体用接着剤４の材料を変更したり、均熱体用接着剤４の厚みを厚くするなどにより、均熱体用接着剤４による接着力を強化することによって、床仕上げ材６と均熱体３との接着状態を剥離する際に、均熱体３の下面部と板状基材２の上面部との接着状態が維持されるように構成されている。
【００２６】
そして、均熱体３と床仕上げ材６との接着については、床仕上げ材６と均熱体３との接着状態を剥離し易くするためのコーティング材１０（例えば、ポリエチレンイミンオクタデシルカルバメイトまたはオクタデシルイソシアネートとポリビニルアルコールの反応物）にて、均熱体３の上面部をコーティングした状態で、均熱体３の上面部と床仕上げ材６の下面部との間に床仕上げ用接着剤７を介在させて、均熱体３上に床仕上げ材６を固定させるように構成されている。
【００２７】
具体的に説明すると、床仕上げ材６を均熱体３上に固定させるための両面テープ８が設けられ、床仕上げ用接着剤７が、両面テープ８における接着剤９（例えば、アクリル系）にて構成されている。
そして、床仕上げ材６と均熱体３との接着状態を剥離し易くするためのコーティング材１０にて、均熱体３の上面部をコーティングした状態で、均熱体３の上面部と床仕上げ材６の下面部との間に両面テープ８を介在させて、均熱体３上に床仕上げ材６を固定させるように構成されている。
【００２８】
このようにして、ポリエチレンイミンオクタデシルカルバメイトまたはオクタデシルイソシアネートとポリビニルアルコールの反応物にて構成されたコーティング材１０にて、均熱体３の上面部をコーティングした状態で、アクリル系の接着剤にて構成された両面テープ８を均熱体３の上面部と床仕上げ材６の下面部との間に介在させて、均熱体３上に床仕上げ材６を固定させることによって、コーティング材１０による作用により、床仕上げ材６を均熱体３から剥がれ易くしながら、床仕上げ材６を均熱体３上に固定させることが可能となる。
すなわち、両面テープ８の接着剤９による接着力よりも強い力でなくとも、床仕上げ材６を均熱体３から剥すことが可能となるので、床仕上げ材６を均熱体３から容易に剥すことが可能となり、床仕上げ材６を均熱体３から剥すときに、床仕上げ材６が均熱体３から剥がれる前に、均熱体３が板状基材２から剥がれてしまうなどの事態を回避することが可能となる。
【００２９】
したがって、床仕上げ材６を均熱体３から容易に剥すことを可能としながら、床仕上げ材６を均熱体３上に固定させることが可能となるので、床仕上げ材６の張り替え作業の容易化を図り、その張り替え作業の際に、均熱体３が板状基材２から剥がれてしまうことが生じて、熱媒体流通管１が損傷し、コストアップを招いてしまう事態を回避することが可能となる。
【００３０】
以上の如く、上記第１実施形態では、コーティング材１０にて、均熱体３の上面部をコーティングした状態で、均熱体３と床仕上げ材６を接着させることにより、床仕上げ材６を均熱体３から容易に剥すことを可能としながら、床仕上げ材６を均熱体３上に固定させることが可能となるが、このことについて実験結果に基づいて説明を加える。
【００３１】
試験体Ａとして、図５の（イ）に示すように、床下地材１１として厚さ２０ｍｍの合板を用い、その合板の上面部と板状基材２の下面部との間に接着剤１２（コニシ：ＫＵ−９２８（ウレタン系ボンド））を介在させて、合板上に板状基材２を固定させ、床暖房パネルＰとしては、均熱体３としてアルミ箔を用い、板状基材２が硬質の発泡樹脂製の硬質タイプを使用し、コーティング材１０としては、ポリエチレンイミンオクタデシルカルバメイトを用い、床仕上げ用接着剤７としては、両面テープ８におけるアクリル系の接着剤を用いる。
【００３２】
そして、試験体Ａをオーブンに入れて８０℃で４日間加熱したのち、オーブンから試験体Ａを取り出して、常温にて１日間放置して、試験体Ａを平面方向に引っ張り、各部の接着強度を確認し、そのときの均熱体３の剥がれや浮きを確認する。
また、図６の（イ）に示すように、均熱体３としてのアルミ箔上に残ったバッカー材６ｂにおけるクッション材を９０度剥したときの、ノリ残り状態を確認する。
【００３３】
このようにして、上記第１実施形態における試験体Ａについての試験結果は、図７に示すように、試験体Ａが、接着強度の最も弱い部位はバッカー材であり、そのときのアルミ箔の剥がれや浮きはないことが確認された。
また、試験体Ａが、アルミ箔上のバッカー材６ｂを９０度剥したときに、アルミ箔表面にノリ残りはないことが確認された。
【００３４】
以上の実験結果によると、試験体Ａが、接着強度の最も弱い部位はバッカー材であり、そのときのアルミ箔の剥がれや浮きはなく、また、アルミ箔上のバッカー材６ｂを９０度剥したときに、アルミ箔表面にノリ残りはないことから、床仕上げ材６を均熱体３としてのアルミ箔から剥離する際に、コーティング材１０による作用により、床仕上げ材６が均熱体３から剥がれ易く、かつ、アルミ箔に剥がれや浮きを生じることなく、床仕上げ材６を剥すことが可能となることが確認される。
【００３５】
〔第２実施形態〕
この第２実施形態は、上記第１実施形態における均熱体３と床仕上げ材６との接着についての別実施形態を示すものであり、その均熱体３と床仕上げ材６との接着について説明する。
なお、均熱体３と床仕上げ材６との接着以外の構成については、上記第１実施形態と同様であるので、同符号を示すなどにより、その詳細な説明は省略する。
【００３６】
前記均熱体３と床仕上げ材６との接着については、図４に示すように、床仕上げ材６と均熱体３との接着状態を剥離し易くするためのコーティング材１０（例えば、ポリエチレンイミンオクタデシルカルバメイトまたはオクタデシルイソシアネートとポリビニルアルコールの反応物）にて、均熱体３の上面部をコーティングした状態で、均熱体３の上面部と床仕上げ材６の下面部との間に床仕上げ用接着剤７（例えば、ウレタン系ボンド）を介在させて、均熱体３上に床仕上げ材６を固定させるように構成されている。
【００３７】
このようにして、ポリエチレンイミンオクタデシルカルバメイトまたはオクタデシルイソシアネートとポリビニルアルコールの反応物にて構成されたコーティング材１０にて、均熱体３の上面部をコーティングした状態で、ウレタン系ボンドにて構成された床仕上げ用接着剤７を均熱体３の上面部と床仕上げ材６の下面部との間に介在させて、均熱体３上に床仕上げ材６を固定させることによって、コーティング材１０による作用により、床仕上げ材６を均熱体３から剥がれ易くしながら、床仕上げ材６を均熱体３上に固定させることが可能となる。
すなわち、床仕上げ用接着剤７による接着力よりも強い力でなくとも、床仕上げ材６を均熱体３から剥すことが可能となるので、床仕上げ材６を均熱体３から容易に剥すことが可能となり、床仕上げ材６を均熱体３から剥すときに、床仕上げ材６が均熱体３から剥がれる前に、均熱体３が板状基材２から剥がれてしまうなどの事態を回避することが可能となる。
【００３８】
したがって、床仕上げ材６を均熱体３から容易に剥すことを可能としながら、床仕上げ材６を均熱体３上に固定させることが可能となるので、床仕上げ材６の張り替え作業の容易化を図り、その張り替え作業の際に、均熱体３が板状基材２から剥がれてしまうことが生じて、熱媒体流通管１が損傷し、コストアップを招いてしまう事態を回避することが可能となる。
【００３９】
以上の如く、上記第２実施形態では、コーティング材１０にて、均熱体３の上面部をコーティングした状態で、均熱体３と床仕上げ材６を接着させることにより、床仕上げ材６を均熱体３から容易に剥すことを可能としながら、床仕上げ材６を均熱体３上に固定させることが可能となるが、このことについて実験結果に基づいて説明を加える。
【００４０】
試験体Ｂとして、図５の（ロ）に示すように、試験体Ａと同様に、床下地材１１として厚さ２０ｍｍの合板を用い、その合板の上面部と板状基材２の下面部との間に接着剤１２（コニシ：ＫＵ−９２８（ウレタン系ボンド））を介在させて、合板上に板状基材２を固定させ、床暖房パネルＰとしては、均熱体３としてアルミ箔を用い、板状基材２が硬質の発泡樹脂製の硬質タイプを使用し、コーティング材１０としては、ポリエチレンイミンオクタデシルカルバメイトを用い、床仕上げ用接着剤７としては、コニシ：ＫＵ−９２８（ウレタン系ボンド）を用いる。
【００４１】
そして、試験体Ｂをオーブンに入れて８０℃で４日間加熱したのち、オーブンから試験体Ｂを取り出して、常温にて１日間放置して、試験体Ａを平面方向に引っ張り、各部の接着強度を確認し、そのときの均熱体３としてのアルミ箔の剥がれや浮きを確認する。
また、図６の（ロ）に示すように、均熱体３としてのアルミ箔上に残ったバッカー材６ｂにおけるクッション材を９０度剥したときの、ノリ残り状態を確認する。
【００４２】
このようにして、上記第２実施形態における試験体Ｂについての試験結果は、図７に示すように、試験体Ｂが、接着強度の最も弱い部位はバッカー材であり、そのときのアルミ箔の剥がれや浮きはないことが確認された。
また、試験体Ｂが、アルミ箔上のバッカー材６ｂを９０度剥したときに、アルミ箔表面にノリ残りはないことが確認された。
【００４３】
以上の実験結果によると、試験体Ｂが、接着強度の最も弱い部位はバッカー材であり、そのときのアルミ箔の剥がれや浮きはなく、また、アルミ箔上のバッカー材６ｂを９０度剥したときに、アルミ箔表面にノリ残りはないことから、床仕上げ材６を均熱体３としてのアルミ箔から剥離する際に、コーティング材１０による作用により、床仕上げ材６が均熱体３から剥がれ易く、かつ、アルミ箔に剥がれや浮きを生じることなく、床仕上げ材６を剥すことが可能となることが確認される。
【００４４】
〔第３実施形態〕
上記第１実施形態では、本発明にかかる床暖房パネルＰについての実施形態を示したが、この第３実施形態では、本発明にかかる床暖房パネルＰの周辺に、周辺パネルが配設されており、この周辺パネルについて図面に基づいて説明する。
ちなみに、周辺パネル以外の構成は、上記第１実施形態と同様であるので、同符号を示すなどにより、その詳細な説明は省略する。
【００４５】
床暖房パネルＰは、図８に示すように、暖房対象となる床面積に応じて、その大きさが適宜変更され、床暖房が必要な部分に敷設され、その床暖房パネルＰの周辺で室内の隅など床暖房が不必要な部分には、周辺パネルＷを敷設するように構成されている。
そして、周辺パネルＷは、複数枚を適宜組み合わせて、床暖房パネルＰの周囲を囲む状態で、床暖房パネルＰの周辺に配設されている。
【００４６】
ちなみに、この第３実施形態では、床暖房パネルＰを矩形状に形成しているが、床暖房パネルＰの形状は、暖房対象である床の面積や形状などに応じて適宜変更が可能であり、また、周辺パネルＷも、床暖房パネルＰの周囲を囲む状態で、床暖房パネルＰの周辺に配設するようにしているが、周辺パネルＷを、床暖房パネルＰの周囲のうち、一部にだけ配設することも可能であり、周辺パネルＷの配設箇所および配設枚数も、暖房対象である床の面積や形状などに応じて適宜変更が可能である。
【００４７】
前記周辺パネルＷは、周辺パネル本体１３から構成され、その周辺パネル本体１３の材質は、発泡樹脂製のもの、合板、パーチクルボードなどの木質製のものや、樹脂製のものなどが適応可能である。
そして、図９の（イ）に示すように、床下地材１１の上面部と周辺パネル本体１３の下面部との間に、周辺パネル用接着剤１４を介在させて、床下地材１１上に周辺パネル本体１３を固定させるように構成され、床仕上げ材１４と周辺パネル本体１３との接着状態を剥離する際に、周辺パネル本体１３の下面部と床下地材１１の上面部との接着状態が維持されるように、周辺パネル用接着剤１４による接着力を調整するように構成されている。
具体的には、周辺パネル用接着剤１４の材料を変更したり、周辺パネル用接着剤１４の厚みを厚くするなどにより、周辺パネル用接着剤１４による接着力を強化することによって、床仕上げ材６と周辺パネル本体１３との接着状態を剥離する際に、周辺パネル本体１３の下面部と床下地材１１の上面部との接着状態が維持されるように構成されている。
【００４８】
また、床仕上げ材６と周辺パネル本体１３との接着状態を剥離し易くするためのコーティング材１０にて、周辺パネル本体１３の上面部をコーティングした状態で、周辺パネル本体１３の上面部と床仕上げ材６の下面部との間に床仕上げ用接着剤７を介在させて、周辺パネル本体１３上に床仕上げ材６を固定させるように構成されている。
【００４９】
説明を加えると、周辺パネル本体１３上に床仕上げ材６を固定する際には、周辺パネル本体１３の上面部をコーティング材１０にてコーティングした状態で、周辺パネル本体１３の上面部と床仕上げ材６の下面部との間に床仕上げ用接着剤７を介在させて、周辺パネル本体１３上に床仕上げ材６を固定させて、コーティング材１０による作用により、床仕上げ材６を周辺パネル本体１３から剥がれ易くしながら、床仕上げ材６を周辺パネル本体１３上に固定させるように構成されている。
したがって、床仕上げ材６を周辺パネル本体１３から剥がれ易くすることが可能となって、床仕上げ材６の張り替え作業の容易化を図るように構成されている。
【００５０】
そして、コーティング材１０を、ポリエチレンイミンオクタデシルカルバメイトまたはオクタデシルイソシアネートとポリビニルアルコールの反応物にて構成し、床仕上げ用接着剤７を、ウレタン系にて構成することが可能となって、床仕上げ材６を周辺パネル本体１３から剥がれ易くするように構成されている。
【００５１】
ちなみに、図９の（ロ）に示すように、床仕上げ材６を周辺パネル本体１３上に固定させるための両面テープ８を設け、床仕上げ用接着剤７を、両面テープ８における接着剤９にて構成し、両面テープ８を床仕上げ材６の下面部と周辺パネル本体１３の上面部との間に介在させて、床仕上げ材６を周辺パネル本体１３上に固定させるように構成させて実施することも可能である。
具体的に説明すると、両面テープ８を周辺パネル本体１３の上面部と床仕上げ材６の下面部との間に介在させるだけで、周辺パネル本体１３上に床仕上げ材６を固定させるようにして、周辺パネル本体１３上に床仕上げ材６を固定させる際の作業の容易化および床仕上げ材６を張り替える際の作業の容易化を図るように構成されている。
【００５２】
ちなみに、この第３実施形態における床暖房パネルＰは、上記第１実施形態における床暖房パネルおよび上記第２実施形態における床暖房パネルのいずれか一方を適応するように構成され、コーティング材１０による作用により、床仕上げ材６を均熱体３から剥がれ易くしながら、床仕上げ材６を均熱体３上に固定させるように構成されている。
【００５３】
〔別実施形態〕
（１）床仕上げ用接着剤７については、上記第１実施形態の如く、両面テープ８のアクリル系の接着剤９や、上記第２実施形態の如く、ウレタン系ボンドに限らず、コーティング材１０による均熱体３の上面部のコーティングにより、床仕上げ材６と均熱体３との接着状態が剥離し易くなるものであればよい。
【００５４】
（２）上記第１および第２実施形態では、均熱体用接着剤４の材料を変更したり、均熱体用接着剤４の厚みを厚くするなどにより、均熱体用接着剤４による接着力を強化することによって、床仕上げ材６と均熱体３との接着状態を剥離する際に、均熱体３の下面部と板状基材２の上面部との接着状態が維持されるように構成されている例を示したが、例えば、床仕上げ材６と均熱体３との接着強度が強いほど、均熱体３と板状基材２との接着強度が強くなるように、均熱体用接着剤４による接着力を調整して、床仕上げ材６と均熱体３との接着強度に応じて、均熱体用接着剤４による接着力を調整するように構成して実施することも可能である。
【００５５】
また、上記第３実施形態では、周辺パネル用接着剤１４の材料を変更したり、周辺パネル用接着剤１４の厚みを厚くするなどにより、周辺パネル用接着剤１４による接着力を強化することによって、床仕上げ材６と周辺パネル本体１３との接着状態を剥離する際に、周辺パネル本体１３の下面部と床下地材１１の上面部との接着状態が維持されるように構成されている例を示したが、例えば、床仕上げ材６と周辺パネル本体１３との接着強度が強いほど、周辺パネル本体１３と床下地材１１との接着強度が強くなるように、周辺パネル用接着剤１４による接着力を調整して、床仕上げ材６と周辺パネル本体１３との接着強度に応じて、周辺パネル用接着剤１４による接着力を調整するように構成して実施することも可能である。
【００５６】
（３）上記第１および第２実施形態では、本発明にかかる床暖房パネルＰを温水式の床暖房パネルに適応した例を示したが、加熱用長尺体が電気ヒータで構成された電気式の床暖房パネルに適応することも可能である。
また、本発明にかかる床暖房パネルＰは、小根太を使用するタイプのものでも適応可能であり、各種の床暖房パネルに適応可能である。
【図面の簡単な説明】
【図１】床暖房パネルの全体平面図
【図２】第１実施形態における床暖房パネルの斜視図
【図３】第１実施形態における床暖房パネルの縦断面図
【図４】第２実施形態における床暖房パネルの縦断面図
【図５】実験過程を示す床暖房パネルの側面図
【図６】実験過程を示す床暖房パネルの側面図
【図７】実験結果を示す表
【図８】第３実施形態における床暖房パネルおよび周辺パネルの全体平面図
【図９】第３実施形態における周辺パネルの縦断面図
【符号の説明】
１              加熱用長尺体
２              板状基材
２ａ            溝部
３              均熱体
４              均熱体用接着剤
６              床仕上げ材
７              床仕上げ用接着剤
８              両面テープ
９              両面テープにおける接着剤
１０            コーティング材
１３            周辺パネル本体
【図１】
0004502530.tif 000002
【図２】
0004502530.tif 000003
【図３】
0004502530.tif 000004
【図４】
0004502530.tif 000005
【図５】
0004502530.tif 000006
【図６】
0004502530.tif 000007
【図７】
0004502530.tif 000008
【図８】
0004502530.tif 000009
【図９】
0004502530.tif 000010